(57)【要約】【課題】プリパルスの設定を容易且つ柔軟に行うことが可能な磁気共鳴イメージング装置を提供することである。【解決手段】実施形態に係る磁気共鳴イメージング装置は、受付部と、導出部と、シーケンス制御部とを備える。前記受付部は、磁気共鳴信号を収集する撮像領域に含まれる複数種類の組織のリストを提示し、前記複数種類の組織それぞれについて、信号値の抑制が所望される組織であるか否か、または、信号値の強調が所望される組織であるか否かの選択を操作者から受け付けることにより、前記複数種類の組織のうち、少なくとも１つの組織の種類の選択を受け付ける。前記導出部は、前記選択によって特定される前記組織の種類に従って、磁気共鳴信号の収集前に印加されるプリパルスの印加タイミングを導出する。前記シーケンス制御部は、前記プリパルスの印加タイミングに従ってプリパルスを印加し、磁気共鳴信号を収集する。【選択図】図１
2018083105.tif 000002
【特許請求の範囲】
【請求項１】
磁気共鳴信号を収集する撮像領域に含まれる複数種類の組織のリストを提示し、前記複数種類の組織それぞれについて、信号値の抑制が所望される組織であるか否か、または、信号値の強調が所望される組織であるか否かの選択を操作者から受け付けることにより、前記複数種類の組織のうち、少なくとも１つの組織の種類の選択を受け付ける受付部と、
前記選択によって特定される前記組織の種類に従って、磁気共鳴信号の収集前に印加されるプリパルスの印加タイミングを導出する導出部と、
前記プリパルスの印加タイミングに従ってプリパルスを印加し、磁気共鳴信号を収集するシーケンス制御部と
を備えたことを特徴とする磁気共鳴イメージング装置。
【請求項２】
前記導出部は、信号値の抑制が所望される組織が選択された場合に、前記複数種類の組織のうち、選択された組織の信号値を前記磁気共鳴信号の収集タイミングで略ゼロとするように、前記プリパルスの印加タイミングを導出することを特徴とする請求項１に記載の磁気共鳴イメージング装置。
【請求項３】
前記導出部は、信号値の強調が所望される組織が選択された場合に、前記複数種類の組織のうち、選択されていない組織の信号値を前記磁気共鳴信号の収集タイミングで略ゼロとするように、前記プリパルスの印加タイミングを導出することを特徴とする請求項１に記載の磁気共鳴イメージング装置。
【請求項４】
前記受付部は、前記複数種類の組織を並べて、選択若しくは非選択の設定を受け付けるためのＧＵＩ（Graphical  User  Interface）を、撮像条件の設定画面上に表示することを特徴とする請求項１〜３のいずれか１つに記載の磁気共鳴イメージング装置。
【請求項５】
前記導出部は、前記ＧＵＩ上に表示する前記組織の種類及び数のうち少なくとも１つを、撮像対象部位に応じて変更することを特徴とする請求項４に記載の磁気共鳴イメージング装置。
【請求項６】
前記導出部は、撮像領域内の信号値の時間的な推移を組織毎に表すグラフを表示することを特徴とする請求項１〜５のいずれか１つに記載の磁気共鳴イメージング装置。
【請求項７】
前記受付部は、タグパルスのＴＩ（Inversion  Time）、前記複数種類の組織の選択若しくは非選択又は個数、及び、前記プリパルスの印加タイミングのうち、少なくとも１つの変更指示を更に受け付け、前記導出部は、変更後の前記プリパルスの印加タイミングを導出することを特徴とする請求項１〜６のいずれか１つに記載の磁気共鳴イメージング装置。
【発明の詳細な説明】
【技術分野】
【０００１】
本発明の実施形態は、磁気共鳴イメージング装置に関する。
【背景技術】
【０００２】
磁気共鳴イメージング（ＭＲＩ：Magnetic  Resonance  Imaging）は、静磁場中に置かれた被検体の原子核スピンをそのラーモア（Larmor）周波数のＲＦ（Radio  Frequency）パルスによって磁気的に励起し、この励起に伴って発生する磁気共鳴信号から画像を生成する撮像法である。
【０００３】
この磁気共鳴イメージングの分野においては、タグパルスの印加により流体（例えば、血液、脳脊髄液（ＣＳＦ：Cerebrospinal  Fluid）、リンパ液等）を標識化することで、撮像領域に流入する流体の信号を描出する非造影の撮像法がある。例えば、ＡＳＬ（Arterial  Spin  Labeling）法と呼ばれる撮像法では、タグパルスの印加により血液が標識化され、撮像領域に流入する血液の信号が描出される。また、ＡＳＬ法には、タグパルスの印加後磁気共鳴信号の収集前に、領域を選択しない非選択プリパルスを印加することで、血液以外の背景信号を抑制する手法がある。かかるＡＳＬ法は、パフュージョン撮像や、ＭＲＡ（Magnetic  Resonance  Angiography）撮像等に用いられている。
【先行技術文献】
【特許文献】
【０００４】
【特許文献１】特開２００９−２６１５１７号公報
【特許文献２】特開２０１１−１８３１５２号公報
【発明の概要】
【発明が解決しようとする課題】
【０００５】
本発明が解決しようとする課題は、プリパルスの設定を容易且つ柔軟に行うことが可能な磁気共鳴イメージング装置を提供することである。
【課題を解決するための手段】
【０００６】
実施形態に係る磁気共鳴イメージング装置は、受付部と、導出部と、シーケンス制御部とを備える。前記受付部は、磁気共鳴信号を収集する撮像領域に含まれる複数種類の組織のリストを提示し、前記複数種類の組織それぞれについて、信号値の抑制が所望される組織であるか否か、または、信号値の強調が所望される組織であるか否かの選択を操作者から受け付けることにより、前記複数種類の組織のうち、少なくとも１つの組織の種類の選択を受け付ける。前記導出部は、前記選択によって特定される前記組織の種類に従って、磁気共鳴信号の収集前に印加されるプリパルスの印加タイミングを導出する。前記シーケンス制御部は、前記プリパルスの印加タイミングに従ってプリパルスを印加し、磁気共鳴信号を収集する。
【図面の簡単な説明】
【０００７】
【図１】図１は、第１の実施形態に係るＭＲＩ装置の構成を示す機能ブロック図。
【図２】図２は、第１の実施形態における処理手順を示すフローチャート。
【図３】図３は、第１の実施形態におけるプロトコル選択画面を示す図。
【図４】図４は、第１の実施形態における位置決め画像を示す図。
【図５】図５は、第１の実施形態における撮像条件の設定画面を示す図。
【図６】図６は、第１の実施形態における非選択プリパルスの設定手順を示すフローチャート。
【図７】図７は、第１の実施形態における信号値推移のグラフ表示を示す図。
【図８】図８は、第１の実施形態における信号値推移のグラフ表示を示す図。
【図９】図９は、第１の実施形態における信号値推移のグラフ表示を示す図。
【図１０】図１０は、第１の実施形態の変形例における非選択プリパルスの設定手順を示すフローチャート。
【発明を実施するための形態】
【０００８】
以下、図面を参照しながら、実施形態に係る磁気共鳴イメージング（ＭＲＩ：Magnetic  Resonance  Imaging）装置を説明する。なお、実施形態は、以下の実施形態に限られるものではない。また、各実施形態において説明する内容は、原則として、他の実施形態においても同様に適用することができる。
【０００９】
（第１の実施形態）
図１は、第１の実施形態に係るＭＲＩ装置１００の構成を示す機能ブロック図である。図１に示すように、ＭＲＩ装置１００は、静磁場磁石１０１と、静磁場電源１０２と、傾斜磁場コイル１０３と、傾斜磁場電源１０４と、寝台１０５と、寝台制御部１０６と、送信コイル１０７と、送信部１０８と、受信コイル１０９と、受信部１１０と、シーケンス制御部１２０と、計算機１３０とを備える。なお、ＭＲＩ装置１００に、被検体Ｐ（例えば、人体）は含まれない。また、図１に示す構成は一例に過ぎない。例えば、シーケンス制御部１２０及び計算機１３０内の各部は、適宜統合若しくは分離して構成されてもよい。
【００１０】
静磁場磁石１０１は、中空の円筒形状に形成された磁石であり、内部の空間に静磁場を発生する。静磁場磁石１０１は、例えば、超伝導磁石等であり、静磁場電源１０２から電流の供給を受けて励磁する。静磁場電源１０２は、静磁場磁石１０１に電流を供給する。なお、静磁場磁石１０１は、永久磁石でもよく、この場合、ＭＲＩ装置１００は、静磁場電源１０２を備えなくてもよい。また、静磁場電源１０２は、ＭＲＩ装置１００とは別に備えられてもよい。
【００１１】
傾斜磁場コイル１０３は、中空の円筒形状に形成されたコイルであり、静磁場磁石１０１の内側に配置される。傾斜磁場コイル１０３は、互いに直交するＸ、Ｙ、及びＺの各軸に対応する３つのコイルが組み合わされて形成されており、これら３つのコイルは、傾斜磁場電源１０４から個別に電流の供給を受けて、Ｘ、Ｙ、及びＺの各軸に沿って磁場強度が変化する傾斜磁場を発生する。傾斜磁場電源１０４は、傾斜磁場コイル１０３に電流を供給する。
【００１２】
寝台１０５は、被検体Ｐが載置される天板１０５ａを備え、寝台制御部１０６による制御の下、天板１０５ａを、被検体Ｐが載置された状態で、傾斜磁場コイル１０３の空洞（撮像口）内へ挿入する。通常、寝台１０５は、長手方向が静磁場磁石１０１の中心軸と平行になるように設置される。寝台制御部１０６は、計算機１３０による制御の下、寝台１０５を駆動して天板１０５ａを長手方向及び上下方向へ移動する。
【００１３】
送信コイル１０７は、傾斜磁場コイル１０３の内側に配置され、送信部１０８からＲＦパルスの供給を受けて、高周波磁場を発生する。送信部１０８は、対象とする原子の種類及び磁場強度で定まるラーモア周波数に対応するＲＦパルスを送信コイル１０７に供給する。
【００１４】
受信コイル１０９は、傾斜磁場コイル１０３の内側に配置され、高周波磁場の影響によって被検体Ｐから発せられる磁気共鳴信号を受信する。受信コイル１０９は、磁気共鳴信号を受信すると、受信した磁気共鳴信号を受信部１１０へ出力する。
【００１５】
なお、上述した送信コイル１０７及び受信コイル１０９は一例に過ぎない。送信機能のみを備えたコイル、受信機能のみを備えたコイル、若しくは送受信機能を備えたコイルのうち、１つ若しくは複数を組み合わせることによって構成されればよい。
【００１６】
受信部１１０は、受信コイル１０９から出力される磁気共鳴信号を検出し、検出した磁気共鳴信号に基づいてＭＲ（Magnetic  Resonance）データを生成する。具体的には、受信部１１０は、受信コイル１０９から出力される磁気共鳴信号をデジタル変換することによってＭＲデータを生成する。また、受信部１１０は、生成したＭＲデータをシーケンス制御部１２０へ送信する。なお、受信部１１０は、静磁場磁石１０１や傾斜磁場コイル１０３等を備える架台装置側に備えられてもよい。
【００１７】
シーケンス制御部１２０は、計算機１３０から送信されるシーケンス情報に基づいて、傾斜磁場電源１０４、送信部１０８及び受信部１１０を駆動することによってパルスシーケンスを実行し、被検体Ｐの撮像を行う。ここで、シーケンス情報は、撮像を行うための手順を定義した情報である。シーケンス情報には、傾斜磁場電源１０４が傾斜磁場コイル１０３に供給する電流の強さや電流を供給するタイミング、送信部１０８が送信コイル１０７に供給するＲＦパルスの強さやＲＦパルスを印加するタイミング、受信部１１０が磁気共鳴信号を検出するタイミング等が定義される。例えば、シーケンス制御部１２０は、ＣＰＵ（Central  Processing  Unit）、ＭＰＵ（Micro  Processing  Unit）等のプロセッサである。
【００１８】
なお、シーケンス制御部１２０は、傾斜磁場電源１０４、送信部１０８及び受信部１１０を駆動して被検体Ｐを撮像した結果、受信部１１０からＭＲデータを受信すると、受信したＭＲデータを計算機１３０へ転送する。
【００１９】
計算機１３０は、ＭＲＩ装置１００の全体制御や、ＭＲ画像の生成等を行う。計算機１３０は、インタフェース部１３１、記憶部１３２、制御部１３３、入力部１３４、表示部１３５、及び画像生成部１３６を備える。
【００２０】
インタフェース部１３１は、シーケンス情報をシーケンス制御部１２０へ送信し、シーケンス制御部１２０からＭＲデータを受信する。また、インタフェース部１３１は、ＭＲデータを受信すると、受信したＭＲデータを記憶部１３２に格納する。記憶部１３２に格納されたＭＲデータは、制御部１３３によってｋ空間に配置される。この結果、記憶部１３２は、ｋ空間データを記憶する。
【００２１】
記憶部１３２は、インタフェース部１３１によって受信されたＭＲデータや、制御部１３３によってｋ空間に配置されたｋ空間データ、画像生成部１３６によって生成された画像データ等を記憶する。例えば、記憶部１３２は、ＲＡＭ（Random  Access  Memory）、フラッシュメモリ等の半導体メモリ素子、ハードディスク、光ディスク等である。
【００２２】
入力部１３４は、操作者からの各種指示や情報入力を受け付ける。入力部１３４は、例えば、マウスやトラックボール等のポインティングデバイス、キーボード等の入力デバイスである。表示部１３５は、制御部１３３による制御の下、撮像条件の入力を受け付けるためのＧＵＩ（Graphical  User  Interface）や、画像生成部１３６によって生成されたＭＲ画像等を表示する。表示部１３５は、例えば、液晶モニタ等の表示デバイスである。
【００２３】
制御部１３３は、ＭＲＩ装置１００の全体制御を行い、撮像やＭＲ画像の生成、ＭＲ画像の表示等を制御する。例えば、制御部１３３は、ＣＰＵ、ＭＰＵ等のプロセッサである。また、制御部１３３は、図１に示すように、撮像条件設定部１３３ａ（「導出部」とも呼ばれる）を有する。撮像条件設定部１３３ａは、撮像条件の入力をＧＵＩ上で受け付け、受け付けた撮像条件に従ってシーケンス情報を生成する。また、撮像条件設定部１３３ａは、生成したシーケンス情報をシーケンス制御部１２０へ送信する。
【００２４】
画像生成部１３６は、ｋ空間データを記憶部１３２から読み出し、読み出したｋ空間データにフーリエ変換等の再構成処理を施すことで、ＭＲ画像を生成する。
【００２５】
さて、第１の実施形態に係るＭＲＩ装置１００は、ＡＳＬ法を用いて被検体の頭部を非造影で撮像するケースを想定し、そのイメージングスキャンに先行して行われる撮像条件の設定において、非選択プリパルスの設定を容易且つ柔軟に行うためのＧＵＩを提供するものである。以下では、ＭＲＩ装置１００による検査の処理手順に沿って、例示的な実施形態を説明する。
【００２６】
図２は、第１の実施形態における処理手順を示すフローチャートである。検査が開始されると、まず、撮像条件設定部１３３ａが、検査に含まれる一連のプロトコル群の選択を受け付けるためのプロトコル選択画面を表示部１３５に表示し、医師や技師等の操作者から、プロトコル群の選択を受け付ける（ステップＳ１）。
【００２７】
なお、「プロトコル」とは、撮像条件の設定情報を含むパルスシーケンス情報である。ＭＲＩ装置１００による検査には、各種準備スキャンやイメージングスキャンといった、一連のパルスシーケンス群が含まれる。また、各パルスシーケンスには、ＴＲ（Repetition  Time）やＴＥ（Echo  Time）、フリップ角ＦＡ（Flip  Angle）等の撮像条件が設定される。ＭＲＩ装置１００は、これら撮像条件の設定情報（事前に設定されたプリセット情報を含む）を含むパルスシーケンス情報を「プロトコル」として管理し、提供している。このプロトコル群には、例えば、位置決め画像を収集するためのプロトコルや、感度マップを収集するためのプロトコル、シミングのためのプロトコル、イメージングのためのプロトコル等が、それぞれ、１つ又は複数含まれる。
【００２８】
図３は、第１の実施形態におけるプロトコル選択画面を示す図である。例えば、図３に示すように、プロトコル選択画面上には、右から順に、プロトコル群を表示する領域１、領域１に表示されたプロトコル群の総称を表示する領域２、及び、人体模型図上で撮像対象部位毎の選択を受け付ける領域３が表示される。このようなプロトコル選択画面上で、操作者は、例えば、階層構造に従って、領域３、領域２、領域１の順に選択を行うことで、実行すべき所望のプロトコル群を指定することができる。
【００２９】
例えば、操作者が、領域１上で『頭部』に対応する矩形を選択すると、『頭部』に関連するプロトコルの総称の一覧が領域２に表示される。続いて、操作者が、領域２上で、例えば、プロトコルの総称である『Brain1』を選択すると、この総称に対応するプロトコル群が領域１に表示される。このプロトコル群には、例えば、位置決め画像を収集するためのプロトコルや、感度マップを収集するためのプロトコル、シミングのためのプロトコル、イメージングのためのプロトコル等が、それぞれ、１つ又は複数含まれる。そこで、操作者は、領域１に表示されたプロトコル群の中から、感度マップ用、シミング用、イメージング用等、それぞれについて、所望のプロトコルを選択し、終了ボタンを押下する。こうして、撮像条件設定部１３３ａは、一連のプロトコル群の選択を受け付ける。なお、図３に示すプロトコル選択画面は、説明の便宜上の一例に過ぎず、例えば、各領域に表示される情報は、運用の形態に応じて、任意に変更することができる。
【００３０】
図２に戻り、次に、シーケンス制御部１３０が、ステップＳ１で選択された一連のプロトコル群に従って、位置決め画像を収集するための準備スキャン等、各種準備スキャンを実行する（ステップＳ２）。例えば、シーケンス制御部１３０は、位置決め画像として、サジタル像Ｉ１、アキシャル像Ｉ２、及びコロナル像Ｉ３を収集する。続いて、撮像条件設定部１３３ａが、ＡＳＬ法によるイメージングスキャンの撮像条件の設定を受け付けるための設定画面を表示部１３５に表示し、撮像条件の設定を受け付ける（ステップＳ３）。
【００３１】
図４は、第１の実施形態における位置決め画像を示す図である。撮像条件設定部１３３ａは、収集されたサジタル像Ｉ１、アキシャル像Ｉ２、及びコロナル像Ｉ３を表示部１３５に表示し、操作者から、撮像領域やタグパルスの印加領域の設定を受け付ける。例えば、撮像条件設定部１３３ａは、サジタル像Ｉ１、アキシャル像Ｉ２、及びコロナル像Ｉ３のうち、どの位置決め画像に対する操作を受け付けるか、また、操作を受け付ける画像において、撮像領域やタグパルスの印加領域のうち、どの領域の設定を受け付けて表示するか等の指定を、図示しないラジオボタン等によって受け付ける。例えば、図４の例では、サジタル像Ｉ１上に、撮像領域Ｒ１、タグパルスの印加領域Ｒ２が表示され、アキシャル像Ｉ２上に、撮像領域Ｒ３が表示され、コロナル像Ｉ３上に、撮像領域Ｒ４が表示されている。このように、第１の実施形態においては、撮像領域Ｒ１の上流側（図４の例では首側）に、タグパルスの印加領域Ｒ２が設定されている。
【００３２】
図５は、第１の実施形態における撮像条件の設定画面を示す図である。撮像条件設定部１３３ａは、図４に示した位置決め画像とともに、あるいは、位置決め画像とは別に、図５に示す撮像条件の設定画面を表示部１３５に表示する。なお、図５の例では、設定画面の初期画面に、事前に設定されたプリセット情報が表示されるものとする。また、図５においては、説明の便宜上、設定画面の内容を適宜省略して示す。また、図５に示す設定画面は一例に過ぎず、実施形態はこれに限られるものではない。
【００３３】
図５に示すように、例えば、撮像条件設定部１３３ａは、設定画面の最上段に、タグパルス等のタイプを選択するためのプルダウンメニューを表示する。図５の例では、「ＩＲ（Inversion  Recovery）  Pulse  Type」として、ＡＳＴＡＲ（Modified  STAR（Signal  Targeting  Alternating  Radio  Frequency）  Using  Asymmetric  Inversion  Slabs）法と呼ばれるタイプが選択されている。
【００３４】
また、例えば、撮像条件設定部１３３ａは、同じく設定画面の最上段に、タグパルスの印加タイミングから磁気共鳴信号の収集タイミング（例えば、ｋ空間中心付近の収集タイミング）までの時間であるＴＩ（Inversion  Time）や、フリップ角ＦＡの設定を受け付けるための入力項目を表示する。図５の例では、ＴＩ＝１８００ｍｓ、ＦＡ＝１８０°が設定されている。また、例えば、撮像条件設定部１３３ａは、設定画面の最下段に、タグパルスを印加した後に印加される、非選択プリパルスの個数の設定を受け付けるための入力項目を表示する。図５の例では、例えば、「３」が設定されている。
【００３５】
また、撮像条件設定部１３３ａは、設定画面上にタイムチャート（Time  Chart）を表示する。なお、撮像条件設定部１３３ａは、タグパルス（又はコントロール用のパルス）、第１の非選択プリパルス、第２の非選択プリパルス、第３の非選択プリパルスそれぞれに対して、個別に設定を受け付けることができるように、タイムチャートの表示をタブで切り替え可能にしている。図５の例では、第２の非選択プリパルスのタブが、操作者による操作を受け付け可能な状態で表示されている。
【００３６】
タイムチャートには、イメージングのタイミング（即ち、磁気共鳴信号の収集タイミング、例えば、ｋ空間中心付近の収集タイミング）を示すマークＭ１を起点として、左方向に時間軸上を遡るように、タグパルスの印加タイミングを示すマークＭ２、第１の非選択プリパルス、第２の非選択プリパルス、第３の非選択プリパルスそれぞれの印加タイミングを示すマークＭ３が表示されている。また、図５の例では、タグパルスの印加タイミングを白抜きの楕円マークで示す一方で、非選択プリパルスの印加タイミングを斜線の楕円マークで示す等、両者を容易に見分けることができるような工夫が施されている。勿論、マークの表現はこれに限られるものではなく、一重、二重の楕円マークで区別したり、色の異なる楕円マークで区別する等、適宜変更することができる。また、各マークの上には、各マークが示すパルスの印加タイミングから磁気共鳴信号の収集タイミングまでの時間が表示されている。図５の例では、タグパルスの印加タイミングから磁気共鳴信号の収集タイミングまでのＴＩが１８００ｍｓ、第１の非選択プリパルスの印加タイミングから磁気共鳴信号の収集タイミングまでのＴＩが１２７８ｍｓ、第２の非選択プリパルスの印加タイミングから磁気共鳴信号の収集タイミングまでのＴＩが５４７ｍｓ、第３の非選択プリパルスの印加タイミングから磁気共鳴信号の収集タイミングまでのＴＩが１２５ｍｓである。
【００３７】
また、撮像条件設定部１３３ａは、磁気共鳴信号の収集タイミングにおける信号値の調整を、撮像領域に含まれる組織のレベルで受け付けることが可能である。例えば、撮像条件設定部１３３ａは、撮像領域に含まれる組織として、「組織Ａ」、「組織Ｂ」、「組織Ｃ」、及び「組織Ｄ」が想定される場合に、図５の領域Ｂ１に示すように、「組織Ａ」、「組織Ｂ」、「組織Ｃ」、及び「組織Ｄ」の選択若しくは非選択を受け付けるチェックボックスを表示し、操作者からの選択を受け付ける。第１の実施形態においては、選択された組織の信号値が、磁気共鳴信号の収集タイミングで略ゼロとなるように調整される。なお、図５の例では、「組織Ａ」、「組織Ｂ」、及び「組織Ｄ」が選択され、「組織Ｃ」は選択されていない。また、組織とは、例えば、脂肪、白質、灰白質、脳脊髄液等である。
【００３８】
ここで、非選択プリパルスについて説明する。非造影撮像法の一種であるＡＳＬ法等においては、非選択（ＮｓｓＩＲ：Non  Slice  Selective  Inversion  Recovery）プリパルスを用いることで、描出が望まれる血液以外の組織の信号値を抑制することが可能である。なお、必ずしも必須ではないが、第１の実施形態においては、非選択プリパルスの数と、信号値を抑制したい組織の数とを、一致させる。
【００３９】
この非選択プリパルスは、信号値を抑制したい組織の縦磁化が、磁気共鳴信号の収集タイミングにおいて概ねゼロになるようなタイミングで印加される。縦磁化がゼロになるタイミングは、信号値を抑制したい組織のＴ１値、及び、タグパルスの印加タイミングから磁気共鳴信号の収集タイミングまでのＴＩ（以下、ＴａｇＴＩ）によって定まる。
【００４０】
組織の縦磁化の最大値を「１」とした場合、タグパルスを印加した後、ｎ個の非選択プリパルスをそれぞれＴ（ｎ）のタイミングで印加した場合の縦磁化Ａ（ｎ）は、次の（１）式で表される。
Ａ（ｎ）＝１−｛１＋Ａ（ｎ−１）｝＊ｅｘｐ［−｛Ｔ（ｎ）−Ｔ（ｎ−１）｝／Ｔ１］
・・・（１）
【００４１】
このとき、通常は、背景組織の信号値を抑制するために、タグパルスの印加タイミングの直前若しくは直後のタイミングにサチュレーションパルス（ＳＡＴパルス）を撮像領域に印加するので、タグパルス印加直後のＴ（０）時の縦磁化Ａ（０）は、「０」であるものとする。なお、ＳＡＴパルスを印加しない場合、タグパルス印加直後のＴ（０）時の縦磁化Ａ（０）は、「１」であるものとする。
【００４２】
以下に、ＴａｇＴＩ＝１０００ｍｓの場合に、Ｔ１値２５０ｍｓの組織（血液以外の静止部）の信号値を抑制する場合の計算例を示す。まず、信号値を抑制したい組織の数が１つであるので、印加する非選択プリパルスの数も１個とする。非選択プリパルスを印加するタイミングをＴＩ（１）とした場合、非選択プリパルスを印加するタイミングにおける、信号値を抑制したい組織の縦磁化Ａ（１）は、次の（２）式及び（３）式で表される。
Ａ（１）＝１−｛１＋Ａ（０）｝＊ｅｘｐ［−｛ＴＩ（１）−Ｔ（０）｝／２５０］
・・・（２）
Ａ（１）＝１−ｅｘｐ［−｛ＴＩ（１）｝］／２５０］                  ・・・（３）
【００４３】
ＴａｇＴＩ＝１０００ｍｓ経過後、磁気共鳴信号の収集タイミングにおける、信号値を抑制したい組織の縦磁化Ａ（２）は、次の（４）式で表される。
Ａ（２）＝１−｛１＋Ａ（１）｝＊ｅｘｐ［−｛１０００−Ｔ（１）｝／２５０］
・・・（４）
【００４４】
ここで、縦磁化Ａ（２）を「０」とすると、次の（５）式及び（６）式で表される。
０＝１−｛１＋Ａ（１）｝＊ｅｘｐ［−｛１０００−Ｔ（１）｝／２５０］・・・（５）
０＝１−｛１＋（１−ｅｘｐ［−｛ＴＩ（１）｝／２５０］）｝＊ｅｘｐ［−｛１０００−ＴＩ（１）｝／２５０］・・・（６）
【００４５】
これを解くと、ＴＩ（１）＝８３１ｍｓとなり、非選択プリパルスを印加するタイミングから磁気共鳴信号の収集タイミングまでの時間ＴＩｎｓｓは、ＴａｇＴＩ−ＴＩ（１）で計算され、ＴＩｎｓｓ＝１０００−８３１＝１６９ｍｓとなる。非選択プリパルスを印加するタイミングから磁気共鳴信号の収集タイミングまでの時間ＴＩｎｓｓは、このようなアルゴリズムによって、計算することが可能である。
【００４６】
図５に戻り、撮像条件設定部１３３ａは、例えば、事前に設定されたプリセット情報として、図５に示すような撮像条件の設定情報を表示する。即ち、図５の例では、信号値を抑制したい組織として、「組織Ａ」、「組織Ｂ」、及び「組織Ｄ」の３つの組織が選択され、非選択プリパルスの個数が「３」に設定されて、また、上述したようなアルゴリズムの計算結果として、それぞれの印加タイミングが表示されている。
【００４７】
かかる設定画面において、撮像条件設定部１３３ａは、操作者から、各種変更操作を受け付けることが可能である。例えば、撮像条件設定部１３３ａは、図５の領域Ｂ１において、既に選択済のチェックボックスを外す操作や、反対に、選択されていないチェックボックスを入れる操作を受け付けることが可能である。操作者は、例えば、自らの好みや事前知識等に基づいて、プリセット情報とは異なる選択を行うことが可能である。例えば、操作者は、関心領域に「組織Ｄ」が少ないといった事前知識に基づいて「組織Ｄ」のチェックボックスを外し、信号値を抑制したい組織として、「組織Ａ」及び「組織Ｂ」のみを選択することが可能である。なお、非選択プリパルスの個数の設定は、この操作と連動して「２」に変更されてもよい。そして、撮像条件設定部１３３ａは、この操作を受け付けると、自動的に、上述した計算を再度行い、計算結果に従って、タイムチャートを更新して表示することができる。
【００４８】
また、例えば、撮像条件設定部１３３ａは、ＴａｇＴＩや、ＴＩｎｓｓ自体を変更する操作を受け付けることも可能である。例えば、撮像条件設定部１３３ａは、設定画面の最上段、あるいは、タイムチャート上で、ＴａｇＴＩを変更する操作を受け付ける。操作者は、被検体の年齢や血流速度等の事前知識に基づいて、タイムチャート上で、例えば、ドラッグ＆ドロップ操作によりマークＭ２を時間軸上でスライドさせることで、ＴａｇＴＩを変更する。マークＭ２上に表示された数字は、このドラッグ＆ドロップ操作に連動して更新される。また、撮像条件設定部１３３ａは、この操作を受け付けると、自動的に、上述した計算を再度行い、計算結果に従って、タイムチャートを更新して表示することができる。
【００４９】
図６は、第１の実施形態における非選択プリパルスの設定手順を示すフローチャートである。なお、撮像条件設定部１３３ａは、必ずしも図６に示す処理手順に従って処理を行う場合に限られるものではないが、ＴａｇＴＩや信号値を抑制したい組織の選択に応じてＴＩｎｓｓの設定が行われることを説明するためのものである。
【００５０】
撮像条件設定部１３３ａは、まず、ＴａｇＴＩの設定（ステップＳ１０１）、及び、信号値を抑制したい組織の設定を行う（ステップＳ１０２）。次に、撮像条件設定部１３３ａは、ステップＳ１０１で設定されたＴａｇＴＩ、及び、ステップＳ１０２で設定された組織のＴ１値に基づいて、上述したアルゴリズムによる計算を行い、非選択プリパルスのＴＩｎｓｓを求めて設定する（ステップＳ１０３）。上述したように、第１の実施形態においては、非選択プリパルスの数と、信号値を抑制したい組織の数とを、一致させる。そこで、信号値を抑制したい組織が複数選択された場合には、撮像条件設定部１３３ａは、上述した（１）式を選択した組織の数だけ作成し、選択した組織の縦磁化が「０」となるよう連立方程式を解くことで、各ＴＩｎｓｓを求める。なお、第１の実施形態においては、ここまでの処理の結果が、プロトコルのプリセット情報として既に組み込まれていた場合を説明した。
【００５１】
ここで、撮像条件設定部１３３ａは、ＴａｇＴＩを変更する操作を受け付けたか（ステップＳ１０４）、また、信号値を抑制したい組織を変更する操作を受け付けたか（ステップＳ１０５）を、それぞれ判定している。そして、撮像条件設定部１３３ａは、ＴａｇＴＩを変更する操作を受け付けた場合には（ステップＳ１０４，Ｙｅｓ）、ステップＳ１０１の処理に戻り、ＴＩｎｓｓを再計算、再設定する。また、撮像条件設定部１３３ａは、組織を変更する操作を受け付けた場合には（ステップＳ１０５，Ｙｅｓ）、ステップＳ１０２の処理に戻り、ＴＩｎｓｓを再計算、再設定する。これを適宜繰り返し、撮像条件設定部１３３ａは、ＴＩｎｓｓの設定を完了する（ステップＳ１０６）。
【００５２】
ところで、例えば、撮像条件設定部１３３ａは、図５に示した設定画面とともに、あるいは、図５に示した設定画面とは別に、撮像領域内の信号値の時間的な推移を組織毎に表すグラフを、表示してもよい。撮像条件設定部１３３ａは、このグラフを、撮像条件設定部１３３ａによって設定された内容（例えば、プリセット情報に対応する内容、又は、変更操作を受け付けた内容）と連動して表示する。また、撮像条件設定部１３３ａは、単に、操作者に対する参考情報としてこのグラフを表示してもよいし、あるいは、グラフ上で、操作者からの変更操作を受け付けてもよい。
【００５３】
図７〜９は、第１の実施形態における信号値推移のグラフ表示を示す図である。例えば、撮像条件設定部１３３ａは、縦軸を縦磁化とし、横軸を時間軸とするグラフを表示する。また、撮像条件設定部１３３ａは、描出が望まれる血液（inflow  blood）、信号値を抑制したい組織毎に、縦磁化の推移を示すプロットを表示する。なお、図７〜９の例では、血液や各組織の違いが線種の違いで表現されているが、実施形態はこれに限られるものではなく、例えば、色の違いで表示されてもよい。
【００５４】
図７を用いて各組織の縦磁化について簡単に説明すると、第１の実施形態において、シーケンス制御部１２０は、フリップ角ＦＡ＝９０°のＳＡＴパルスを、印加領域Ｒ２に印加されるタグパルスの印加タイミングの直前若しくは直後のタイミングに撮像領域Ｒ１に印加する。このため、撮像領域Ｒ１内の組織（撮像領域Ｒ１内に流入する血液を除く）については、縦磁化の初期値が「０」となっている。また、シーケンス制御部１２０は、タグパルスとして、フリップ角ＦＡ＝１８０°のＩＲパルスを、印加領域Ｒ２を選択して２回印加する。撮像領域Ｒ１に流れ込む血液は、このタグパルスを２回印加された血液であるので、その縦磁化の初期値は「１」となっている。
【００５５】
例えば、撮像条件設定部１３３ａは、プリセット情報に対応するグラフとして、図７に示すグラフを表示する。即ち、図７の例では、信号値を抑制したい組織として、「組織Ａ」、「組織Ｂ」、及び「組織Ｄ」の３つの組織が選択され、非選択プリパルスの個数が「３」に設定されている状態である。この図７の例では、「組織Ａ」、「組織Ｂ」、及び「組織Ｄ」の３つの組織に加えて、結果的に「組織Ｃ」の縦磁化も、磁気共鳴信号の収集タイミングにおいて、概ね「０」となっている。
【００５６】
ここで、非選択プリパルスの数が多ければ多いほど、収集された磁気共鳴信号において、信号値は低下してしまう。そこで、例えば、操作者が、非選択プリパルスの数を減らすことを試みたとする。例えば、操作者は、図５に示した設定画面上の領域Ｂ１で「組織Ｄ」のチェックボックスを外し、「組織Ａ」及び「組織Ｂ」のみを選択したとする。すると、撮像条件設定部１３３ａは、ＴａｇＴＩ＝１８００ｍｓ、組織ＡのＴ１値２５０ｍｓ、組織ＢのＴ１値８００ｍｓに基づいて、再計算を行い、新たに、ＴＩｎｓｓ１＝１５２ｍｓ、ＴＩｎｓｓ２＝７７４ｍｓを求める。そして、撮像条件設定部１３３ａは、これを図５のタイムチャート上に反映するとともに、例えば、図８に示すように、グラフに反映する。また、図８に示すように、撮像条件設定部１３３ａは、例えば、領域Ｂ１の各組織の下に、磁気共鳴信号の収集タイミングにおける信号値を、数字で表示してもよい。操作者は、このグラフを見ることで、あるいは、領域Ｂ１の数字を見ることで、各組織の縦磁化がどの程度抑制されたかを確認することができる。
【００５７】
また、例えば、撮像条件設定部１３３ａは、このグラフ上で直接、操作者から、非選択プリパルスの印加タイミングの変更操作を受け付ける。操作者は、グラフ上で、例えば、ドラッグ＆ドロップ操作によりプロットされた線を移動させることで、非選択プリパルスの印加タイミングを、ＴＩｎｓｓ２＝７７４ｍｓからＴＩｎｓｓ２＝７９０ｍｓに変更する。撮像条件設定部１３３ａは、操作者の操作に応じて随時計算を行い、その計算結果を反映するように各組織の縦磁化の推移を更新して表示し続ける。このため、操作者は、自らの変更操作の結果、各組織の縦磁化がどのように変化するかをリアルタイムに確認しながら、この操作を行うことができる。この結果、「組織Ｂ」の信号値は若干上がるが、「組織Ｃ」及び「組織Ｄ」の信号値は下がる。このことは、グラフ上のみならず、領域Ｂ１の数字を見ることでも確認することが可能である。なお、ここでは、図７から図９へと、順次表示されるグラフが切り替わる例を説明したが、実施形態はこれに限られるものではない。例えば、撮像条件設定部１３３ａは、図７〜図９のうち、２つ又は３つのグラフを表示部１３５上に並べて表示してもよい。
【００５８】
このように、撮像条件設定部１３３ａは、撮像領域に含まれる複数種類の組織の選択若しくは非選択、又は個数を受け付けるＧＵＩを提供する。また、撮像条件設定部１３３ａは、タイムチャートやグラフの形式でもＧＵＩを提供し、操作者から、組織の選択若しくは非選択、又は個数や、ＴａｇＴＩ、ＴＩｎｓｓの設定を受け付ける。特にグラフの形式のＧＵＩの場合、例えば、血液以外の背景組織の信号がどの程度残りそうかを可視化することができる。そして、操作者は、変更操作が各組織の縦磁化にどのような影響を与えるかを確認しながら、各種設定を行うことが可能である。なお、上述した実施形態では、プリセット情報に対する変更操作を受け付けるものとして説明したが、実施形態はこれに限られるものではなく、初期設定としての操作を受け付けてもよい。
【００５９】
こうして、撮像条件設定部１３３ａによる、イメージングスキャンの撮像条件の設定が完了した。図２に戻り、シーケンス制御部１２０は、撮像条件設定部１３３ａによる設定に従って、パルスシーケンスを実行する（ステップＳ４）。シーケンス制御部１２０は、ステップＳ３で設定されたタグパルスの印加領域に、ＴａｇＴＩ＝１８００ｍｓのタイミングでタグパルスを印加する。次に、シーケンス制御部１２０は、領域を選択せずに、ＴＩｎｓｓ２＝７９０ｍｓのタイミングで第１の非選択プリパルスを印加する。また、シーケンス制御部１２０は、領域を選択せずに、ＴＩｎｓｓ１＝１５２ｍｓのタイミングで第２の非選択プリパルスを印加する。そして、シーケンス制御部１２０は、撮像領域内の磁気共鳴信号を収集する。この収集には、例えば、ＳＳＦＰ（Steady  State  Free  Precession）、ＧＲＥ（Gradient  Echo）、ＦＳＥ（Fast  Spin  Echo）、ＥＰＩ（Echo  Planar  Imaging）等が用いられる。なお、シーケンス制御部１２０は、各パルスの印加タイミングや磁気共鳴信号の収集タイミングを、心電同期信号、脈波同期信号等の生体信号や、ＭＲＩ装置１００のクロック信号等をトリガ信号として制御する。
【００６０】
その後、必要に応じて、画像生成部１３６が、ステップＳ４で収集された磁気共鳴信号を用いて、ＭＲ画像を生成したり、表示部１３５に表示したりする（ステップＳ５）。
【００６１】
上述してきたように、第１の実施形態によれば、信号値の調整を組織のレベルで受け付けるためのＧＵＩが提供され、このＧＵＩ上で受け付けられた設定内容に従って、非選択プリパルスの印加タイミングが自動的に導出されるので、操作者は、非選択プリパルスの設定を、容易且つ柔軟に行うことが可能である。ひいては、非選択パルスの印加タイミングとして、最適なタイミングを設定することも可能である。
【００６２】
なお、上述した第１の実施形態においては、撮像条件設定部１３３ａが、プリセット情報や、ＧＵＩ上で受け付けた設定内容に従って、その都度、上述したアルゴリズムによる計算を行い、非選択プリパルスの印加タイミングを求める例を説明した。しかしながら、実施形態はこれに限られるものではなく、例えば、ＴａｇＴＩと、組織のＴ１値と、非選択プリパルスの印加タイミングとの組み合わせを、固定的に定めておいてもよい。
【００６３】
この場合、例えば、撮像条件設定部１３３ａは、ＴａｇＴＩが「９５０〜１０５０ｍｓ」で、組織のＴ１値が「２５０ｍｓ」の場合には、ＴＩｎｓｓを「１６９ｍｓ」とすることを定めたテーブルをプリセット情報として記憶しておく。また、例えば、撮像条件設定部１３３ａは、ＴａｇＴＩが「９５０〜１０５０ｍｓ」で、組織のＴ１値が「２５０ｍｓ」及び「８００ｍｓ」の場合には、ＴＩｎｓｓを「１３０ｍｓ」、「５６５ｍｓ」とすることを定めたテーブルをプリセット情報として記憶しておく。そして、撮像条件設定部１３３ａは、このテーブルに基づいて、ＴＩｎｓｓを導出すればよい。
【００６４】
図１０は、第１の実施形態の変形例における非選択プリパルスの設定手順を示すフローチャートである。図１０と図６とで異なる点は、ステップＳ２０３及びステップＳ１０３である。即ち、第１の実施形態の変形例において、撮像条件設定部１３３ａは、ステップＳ２０１で設定されたＴａｇＴＩ、及び、ステップＳ２０２で設定された組織のＴ１値に基づいて非選択プリパルスのＴＩｎｓｓを求める際に、アルゴリズムによる計算を行うのではなく、プリセットされたテーブルを参照して、これを求める。
【００６５】
（その他の実施形態）
なお、実施形態は、上述した実施形態に限られるものではない。
【００６６】
（組織選択のＧＵＩについて）
上述した第１の実施形態においては、撮像条件設定部１３３ａが、撮像領域に含まれる組織の選択若しくは非選択を受け付けるチェックボックスを表示する例を説明した。このとき表示する組織の種類や数は、撮像対象部位に応じて変化してもよい。例えば、撮像条件設定部１３３ａは、ＧＵＩ上に表示する組織の種類及び数のうち、少なくとも１つを、撮像対象部位に応じて変更することが可能である。
【００６７】
例えば、撮像条件設定部１３３ａは、撮像対象部位が「頭部」の場合は、撮像領域に含まれる組織として、脂肪、白質、灰白質、脳脊髄液が想定されること、一方、撮像対象部位が「腹部」の場合は、撮像対象部位に含まれる組織として、脂肪、肝臓、脾臓が想定されること等、撮像対象部位毎に、想定され得る組織の種類及び数を予め記憶しておく。そして、例えば、撮像条件設定部１３３ａは、図２を用いた処理手順のうち、ステップＳ１で選択された撮像対象部位に応じて、ステップＳ３の設定画面に表示される組織の種類及び数を変更する。
【００６８】
また、上述した第１の実施形態においては、撮像条件設定部１３３ａが、撮像領域に含まれる複数種類の組織のうち、信号値の抑制が所望されるであろう組織のリストをＧＵＩとして表示し、そのリスト上で、信号値の抑制が所望される組織の選択を直接受け付ける例を説明した。しかしながら実施形態はこれに限られるものではなく、結果的に、信号値の抑制が所望されるであろう組織の種類と数が判明すればよい。即ち、どのようなリストの形態でＧＵＩを提供するかは、任意に変更することができる。
【００６９】
例えば、撮像条件設定部１３３ａは、信号値の抑制が所望される組織のリストの替わりに、撮像領域に含まれる複数種類の組織のうち、信号値の強調が所望されるであろう組織のリストをＧＵＩとして表示し、そのリスト上で、信号値の強調が所望される組織の選択を受け付けてもよい。この場合、撮像条件設定部１３３ａは、例えば、別途、撮像領域に含まれると想定される組織のリストを記憶しておき、強調が所望された組織以外の組織が、信号値の抑制が所望される組織であると判定すればよい。なお、強調が所望される組織としては、例えば、血液、脳脊髄液、肝臓、脾臓等が考えられる。
【００７０】
あるいは、例えば、撮像条件設定部１３３ａは、信号値を抑制若しくは強調したい対象を組織のレベルで区分してＧＵＩを表示するのではなく、観察対象のレベルで区分してもよい。例えば、同じ「腹部」の「血液」であっても、観察対象のレベルとしては、「肝動脈」や「肝静脈」、「門脈」等の区分が想定され得る。そこで、撮像条件設定部１３３ａは、観察対象のレベルのリストを表示して、操作者から、観察対象の選択を受け付ける。そして、撮像条件設定部１３３ａは、選択された観察対象から、信号値の抑制が所望される組織を判定すればよい。例えば、「肝動脈」や「肝静脈」が選択された場合には、信号値の抑制が所望される組織として「肝臓」や「脂肪」を特定するが、「門脈」が選択された場合には、信号値の抑制が所望される組織から「肝臓」や「脂肪」を外す等する。
【００７１】
（撮像法）
また、上述した第１の実施形態において例示した、図４の各領域の設定や、タグパルスやＳＡＴパルス、非選択プリパルスの数、組み合わせ等は、一例に過ぎない。例えば、ＡＳＬ法には、複数のＴＩ毎にタグ画像とコントロール画像とをペアで収集して各画像の差分画像を生成する「Ｎ−Ｎ差分方式」や、一方の画像のみを用いて血流画像を生成する「ｍＩＲ（Multiple  ＩＲ）差分レス方式」、両者を併用する「ｍＩＲ  Ｎ−Ｎ差分方式」等がある。例えば、上述した実施形態は、「Ｎ−Ｎ差分方式」、「ｍＩＲ差分レス方式」、あるいは「ｍＩＲ  Ｎ−Ｎ差分方式」にも適用することができる。また、ＡＳＬ法に限られるものではなく、上述した実施形態は、磁気共鳴信号の収集タイミングの前に、設定されたタイミングでプリパルスを印加する撮像法であれば、同様に適用することができる。
【００７２】
また、例えば、上述した第１の実施形態においては、シーケンス制御部１２０が、タグパルスとして、フリップ角ＦＡ＝１８０°のＩＲパルスを、印加領域Ｒ２を選択して２回印加する例を説明したが、実施形態はこれに限られるものではない。例えば、タグパルスを印加しない手法を用いることもできる。また、例えば、シーケンス制御部１２０が、タグパルスとして、フリップ角ＦＡ＝１８０°のＩＲパルスを、印加領域Ｒ２を選択して１回印加してもよい。この場合、撮像領域Ｒ１に流れ込む血液は、このタグパルスを１回印加された血液であるので、その縦磁化の初期値は「−１」となる。
【００７３】
（具体的な数値、処理の順序）
また、上述した実施形態において例示した具体的な数値（例えば、１８００ｍｓ）や、処理の順序（例えば、図２、６、１０に示す処理手順）は、原則として一例に過ぎない。また、図５に示した設定画面や、図７〜９に示したグラフ形式のＧＵＩも、一例に過ぎない。例えば、図５においては、組織の選択若しくは非選択を受け付けるＧＵＩとして、チェックボックス形式のＧＵＩを提供する例を説明したが、実施形態はこれに限られるものではない。例えば、プルダウンメニュー形式で選択させるＧＵＩ等、その形式については任意に変更することができる。
【００７４】
また、上述した実施形態においては、描出が所望される信号が、撮像領域に流入する血液の信号である例を説明したが、実施形態はこれに限られるものではない。例えば、脳脊髄液や、リンパ液等の他の流体であってもよい。
【００７５】
（プログラム）
また、上述した実施形態の中で示した処理手順に示された指示は、ソフトウェアであるプログラムに基づいて実行されることが可能である。上述した実施形態で記述された指示は、コンピュータに実行させることのできるプログラムとして、磁気ディスク、光ディスク、半導体メモリ、又はこれに類する記録媒体に記録される。コンピュータは、この記録媒体からプログラムを読み込み、このプログラムに基づいてプログラムに記述されている指示をＣＰＵで実行させれば、上述した実施形態のＭＲＩ装置１００や画像処理装置と同様の動作を実現することができる。また、コンピュータがプログラムを取得する場合又は読み込む場合は、ネットワークを通じて取得又は読み込んでもよい。
【００７６】
以上述べた少なくとも１つの実施形態に係る磁気共鳴イメージング装置によれば、プリパルスの設定を容易且つ柔軟に行うことができる。
【００７７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７８】
１００  ＭＲＩ装置
１２０  シーケンス制御部
１３３  制御部
１３３ａ  撮像条件設定部
【図１】
2018083105.tif 000003
【図２】
2018083105.tif 000004
【図３】
2018083105.tif 000005
【図４】
2018083105.tif 000006
【図５】
2018083105.tif 000007
【図６】
2018083105.tif 000008
【図７】
2018083105.tif 000009
【図８】
2018083105.tif 000010
【図９】
2018083105.tif 000011
【図１０】
2018083105.tif 000012
【手続補正書】
【提出日】平成30年4月6日(2018.4.6)
【手続補正１】
【補正対象書類名】明細書
【補正対象項目名】０００６
【補正方法】変更
【補正の内容】
【０００６】
実施形態に係る磁気共鳴イメージング装置は、受付部と、導出部とを備える。前記受付部は、磁気共鳴信号を収集する撮像領域に含まれる複数種類の観察対象のリストを提示し、前記リストから、少なくとも１つの前記観察対象の選択を受け付ける。前記導出部は、前記受付部により受け付けられた前記観察対象に応じた組織の信号が抑制されるように、前記磁気共鳴信号の収集前に印加されるプリパルスの印加タイミングを導出する。
【手続補正２】
【補正対象書類名】特許請求の範囲
【補正対象項目名】全文
【補正方法】変更
【補正の内容】
【特許請求の範囲】
【請求項１】
磁気共鳴信号を収集する撮像領域に含まれる複数種類の観察対象のリストを提示し、前記リストから、少なくとも１つの前記観察対象の選択を受け付ける受付部と、
前記受付部により受け付けられた前記観察対象に応じた組織の信号が抑制されるように、前記磁気共鳴信号の収集前に印加されるプリパルスの印加タイミングを導出する導出部と、
を備えたことを特徴とする磁気共鳴イメージング装置。
【請求項２】
磁気共鳴信号を収集する撮像領域に含まれる複数種類の観察対象のリストを提示し、前記リストから、少なくとも１つの前記観察対象の選択を受け付ける受付部と、
前記受付部により受け付けられた前記観察対象に対応する、信号の抑制が所望される組織を設定する設定部と、
前記設定部による設定に応じて、前記磁気共鳴信号の収集前に印加されるプリパルスの印加タイミングを導出する導出部と、
を備えた磁気共鳴イメージング装置。
【請求項３】
磁気共鳴信号を収集する撮像領域に含まれる複数種類の観察対象のリストを提示し、前記リストから、少なくとも１つの前記観察対象の選択を受け付ける受付部と、
前記受付部により受け付けられた前記観察対象に応じた組織の信号が強調されるように、前記磁気共鳴信号の収集前に印加されるプリパルスの印加タイミングを導出する導出部と、
を備えた磁気共鳴イメージング装置。
【請求項４】
磁気共鳴信号を収集する撮像領域に含まれる複数種類の観察対象のリストを提示し、前記リストから、少なくとも１つの前記観察対象の選択を受け付ける受付部と、
前記受付部により受け付けられた前記観察対象に対応する、信号の強調が所望される組織を設定する設定部と、
前記設定部による設定に応じて、前記磁気共鳴信号の収集前に印加されるプリパルスの印加タイミングを導出する導出部と、
を備えた磁気共鳴イメージング装置。
【請求項５】
前記プリパルスの印加タイミングに従ってプリパルスを印加し、磁気共鳴信号を収集するシーケンス制御部を更に備えた、
請求項１または３に記載の磁気共鳴イメージング装置。
【請求項６】
前記観察対象は血管であり、前記受付部は、複数種類の血管の区分を前記リストとして提示する、請求項１ないし５のうちいずれか１項に記載の磁気共鳴イメージング装置。
【請求項７】
前記設定部は、前記受付部により選択された前記観察対象に応じて、特定の臓器に含まれる組織を、前記信号の抑制が所望される組織として設定し、
前記導出部は、前記臓器からの磁気共鳴信号が抑制されるように、前記プリパルスの印加タイミングを導出する、
請求項２に記載の磁気共鳴イメージング装置。
【請求項８】
前記設定部は、前記受付部により選択された前記観察対象に応じて、特定の臓器に含まれる組織を、前記信号の強調が所望される組織として設定し、
前記導出部は、前記臓器からの磁気共鳴信号が強調されるように、前記プリパルスの印加タイミングを導出する、
請求項４に記載の磁気共鳴イメージング装置。